(57)【特許請求の範囲】
【請求項１】
同種または異種間骨インプラント（１０２；５０２）であって、
ａ）インプラントをその中に埋入することが可能な孔（１０６）を有し、
ｂ）前記骨インプラントは増強のために顎骨（１０４）に挿入可能に形成され、
ｃ）前記インプラントの外形が前記孔の内径より大きく、
ｄ）前記骨インプラント（１０２；５０２）は、前記インプラントを前記孔（１０６）に埋入することによって拡張可能に設計されることを特徴とする、同種または異種間骨インプラント（１０２；５０２）。
【請求項２】
少なくとも１つの拡張接合部（４０２；５０４）を有し、
前記拡張接合部（４０２；５０４）は、前記インプラントを前記孔（１０６）に埋入することによって前記骨インプラント（１０２；５０２）が拡張できるように配置されることを特徴とする、請求項１に記載の骨インプラント（１０２；５０２）。
【請求項３】
前記拡張接合部（４０２）は、前記インプラントが埋入される方向に沿って前記骨インプラント（１０２）の１領域を完全に分離するものであることを特徴とする、請求項２に記載の骨インプラント（１０２）。
【請求項４】
４つの拡張接合部（５０４）を有し、
前記４つの拡張接合部（５０４）は、前記骨インプラント（５０２）の全体の長さに沿って伸長せず、前記拡張接合部（５０４）は、前記インプラントを埋入するための開口と対向する一端を始点とすることを特徴とする、請求項２に記載の骨インプラント（５０２）。
【請求項５】
前記孔（１０６）は前記インプラントが埋入される方向に先細くなる領域（８０２）を有することを特徴とする、請求項１〜４のいずれか一項に記載の骨インプラント（５０２）。
【請求項６】
少なくとも１つの拡張接合部（５０４）は前記インプラントを埋入するための前記開口に対向する一端から、少なくとも部分的に前記先細り領域（８０２）において始まるように形成されることを特徴とする、請求項５に記載の骨インプラント（５０２）。
【請求項７】
請求項１〜６のいずれか一項に記載の複数の同種骨インプラントまたは異種間骨インプラント（１０２；５０２）のセットであって、
前記骨インプラント（１０２；５０２）のうちの少なくとも第１の骨インプラントの幾何学的形状が、前記骨インプラント（１０２；５０２）のうちの少なくとも第２の骨インプラントの幾何学的形状と異なることを特徴とする、複数の同種骨インプラントまたは異種間骨インプラント（１０２；５０２）のセット。
【発明の詳細な説明】
【技術分野】
【０００１】
本発明は骨インプラントに関する。
【背景技術】
【０００２】
本発明はインプラントの分野で使用される。インプラントは、インプラントまたは歯科インプラントの埋入に関係する歯科学の部門である。インプラントは、顎骨に埋入される異物として理解される。歯科インプラントは、歯代替物の支持体として使用可能であることによって、人口歯根の機能を担う。これは概して、人工歯根を顎骨にねじ込むことまたは埋入することを伴う。３〜６か月以内に、それら人工歯根は周りの骨と結合し、荷重に耐え得る堅固な支持体ユニットを形成する。
【０００３】
しかしながら、インプラントを埋入する際の必須条件は、顎骨が完全な状態であるか、少なくとも十分に残存していることである。重大な事故後は、この条件は当てはまらない場合がある。そのような場合、インプラントを埋入前に、顎骨が再形成されなければならない（このことを増強という）。この目的のために骨材料が移植される。骨インプラントによって顎骨は局所的に復元されるため、その後、顎骨における骨インプラントにインプラントを固定することができる。
【０００４】
したがって、近年、かなり損傷した顎骨の場合の歯代替物処置のために従うべき手順は次に示すとおりである。
【０００５】
インプラントを受けるための骨の環（より正確には骨の中空柱体）の形の骨インプラントが準備される。顎骨において骨の環を受けるために、顎骨に円筒状で適切なサイズに穴をあける。骨の環はその穴をあけられた場所に挿入される。
【０００６】
マルチパート歯科インプラントが最も広く使用されている。マルチパートインプラントは、骨に固着する本体と、口の粘膜の領域にある首部分と、上部構造（例えば、歯代替物としての歯冠）を受ける頭部分とから成る。これら３つの部分は概して互いに螺合される。
【０００７】
インプラントの本体は、その後、首部分と共に、骨の環にねじ込まれる。インプラントの本体がねじ込まれる時に、骨の環がインプラントの本体と共に回らないように、骨の環は保持器具によって短時間保持される。
【０００８】
骨の環における穴をあけられた場所は、ねじ込まれるべきインプラントの本体よりわずかに小さい直径を有する。これにより、骨の環においてインプラントの本体の高い一次安定性が生じる。
【０００９】
その後、歯肉の外傷は縫合される。
【００１０】
１０日後、歯肉の外傷は多くの場合完全に治癒する。骨質によって、この後は荷重無しで結合の段階に入る。この段階には、下顎で平均２〜３か月を要し、上顎で平均５〜６ヶ月を要するが、この理由は、下顎と上顎とでは骨密度が異なるからである。この移行期間においては、一時的な歯代替物が使用される。
【００１１】
マルチパートインプラントの場合、結合の段階後、インプラント本体のねじ山が再び露出し、インプラントの首部分および頭部分がねじ込まれて、上部構造がもたらされかつ適合する。
【００１２】
次のタイプのインプラントの間には差異がある：
（１）自己または自家移植：ドナーおよび受容者は同一人物であり、この場合の移植は自家移植術として知られている。
（２）同系または同系内移植：ドナーは一卵性双生児の１人、すなわち、ドナーおよび受容者は遺伝学的に同一である。
（３）同種移植：ドナーは異なる個体であるが、同一種に属し、当該移植は同種異系移植として知られている。
（４）異種間移植：ドナーは異種（例えば、牛骨）であり、当該移植は異種移植として知られている。
【００１３】
顎骨の増強のために、患者自体から、例えば、顎骨の異なる場所から骨の環を調達することは、現在までは通例であった。このような手順は、例えば、Khouryの文献（International Journal of Oral & Maxillofacial Implants、1999  Jul-Aug；14(4)：557-64）に記載されている。これにより患者にはさらなる外傷が生じる。
【非特許文献１】Khoury F.: "Augmentation of the sinus floor with mandibular bone block and simultaneous implantation: a 6-year clinical investigation." in Int. J. Oral Maxillofac. Implants 1999 Jul-Aug; 14 (4) :557-64
【００１４】
これを回避するために、場合によっては、増強に異種の骨を使用することもある。異種の骨を得るための基礎として、例えば、人工関節（同種異系インプラント）の内移植中に抽出される骨構造が適している。このような同種異系インプラントの使用は、Novellらの文献（Implant Dent、2012  Apr；21(2)：129-35）に記載されている。しかしながら、例えば、Aldredge & Nejatの文献（Compendium of Continuing Education in Dentistry、2011  May；32(4)：66-71）によって報告されるように、出発物質（異種インプラント）として獣骨も考慮に入れる。
【非特許文献２】Novell J., Novell-Costa F., Ivorra C, Farinas 0., Munilla A., Martinez C: "Five-year results of implants inserted into freeze-dried block allografts." in Implant. Dent. 2012 Apr; 21 (2) : 129-35
【非特許文献３】Aldredge W. A., Nejat R. : "Delayed implant procedure using de-proteinized bovine bone mineral: A report of 109 consecutive cases." in Compend. Contin. Educ. Dent. 2011 May; 32(4): 66-71
【００１５】
骨インプラントの内移植中の受容者からの拒絶反応を回避するために、骨構造に含まれるタンパク質をできる限り抽出する。骨にはコラーゲンがいくらか残るだけであるため、所望の弾性が維持されることになる。その他の場合の残存物は鉱物マトリックスである（例えば、Gapskiらの文献：The International Journal of Periodontics and Restorative Dentistry、2006  Feb；26(1)：59-69を参照）。
【非特許文献４】Gapski R., Neiva R., Oh T. J., Wang H. L.: "Histologic analyses of human mineralized bone grafting material in sinus elevation procedures: a case series." in Int. J. Periodontics Restorative Dent. 2006 Feb; 26(l):59-69
【発明の概要】
【発明が解決しようとする課題】
【００１６】
本発明によって対処される課題は、インプラントにおける顎骨形成の可能性を向上させることである。
【課題を解決するための手段】
【００１７】
この課題は、独立請求項の特徴と共に本発明によって解決される。本発明の有利な展開は従属請求項に特徴付けられる。請求項すべてにおける表現は参照によりここで本明細書に取り込まれる。本発明はまた、有意義かつ詳細に、述べられるすべての独立請求項および／または従属請求項の組み合わせをすべて含む。
【００１８】
この課題を解決するために、その中にインプラントを埋入可能な孔を有する同種または異種間骨インプラントが提案される。増強のために顎骨に挿入できるような骨インプラントが形成される。この場合、インプラントを孔に差し込むことによって拡張可能であるように、骨インプラントを設計する。
【００１９】
例えば、孔の軸に対して、中空円筒形状、円錐台形状または回転対称であるように、骨インプラントを形成することができる。孔の軸はインプラントを差し込む際の軸である。孔は骨インプラントを貫通することができるが、必ずしもそうである必要はない。
【００２０】
商業上、このような骨インプラントを事前に作製し、提供可能である。これにより、治療を行う医者が、手術中に、患者の骨、または同種異系インプラントもしくは異種インプラントから骨の環を得なれければならないか、そういった骨の環を成形しなければならないといった事前の骨増強の不利が回避される。このような場合、医者はかなりの時間的制約下に置かれることが多かった。さらに、これらの条件下では、ここで提案されるようなより複雑な形状は苦労してやっと実現することが可能であった。ここで本発明が必要になってくる。
【００２１】
骨インプラントが少なくとも１つの拡張接合部を有する場合、骨インプラントと切除された顎骨との間のより迅速かつ良好な連結が達成される。この場合、インプラントを孔に埋入することによって骨インプラントを拡張させることができるように、拡張接合部が配置される。
【００２２】
拡張接合部は、接合することによって骨インプラントが拡張できるよう、形成されなければならない。したがって、インプラントが外部から孔に至るまで差し込まれ、骨インプラントの少なくとも一端の方へ開く方向に対して、拡張接合部は横方向に伸長することになる。拡張接合部は一般に、孔の少なくとも一部に沿って、インプラントが差し込まれる方向（縦軸）と概して平行に、伸長することになる。
【００２３】
拡張接合部は、骨インプラントを、その縦軸に完全にまたは部分的に沿って、１点で分離することができる。
【００２４】
最初に述べた場合において、外径が孔の内径よりわずかに大きいインプラントのねじ込みには、骨インプラントを拡張させるという効果がある。したがって、骨インプラントは周囲の顎骨により良好に結合する。
【００２５】
この場合の拡張接合部は１点だけで形成され、骨インプラントは一片のままとされる。
【００２６】
さらなる展開では、４つの拡張接合部を形成することができ、それらは骨インプラントの全長に沿って伸長せず、拡張接合部は、インプラントを差し込むための開口と対向する一端を始点とする。
【００２７】
インプラントが差し込まれる方向に先細くなる領域を孔が有する場合、骨インプラントと顎骨との間の結合のさらなる向上が達成される。多くの場合そうであるが、孔が円形の断面を有して円柱状に形成される場合、この例では、インプラントが差し込まれる方向に断面積は先細くなる。そして、実質的に円柱状のインプラントの埋入によって、骨インプラントは拡張し、顎骨の被粉砕領域の壁に対して骨インプラントが押し付けられる。
【００２８】
この展開において、少なくとも部分的に先細り領域が始まるように、少なくとも１つの拡張接合部はインプラントを埋入するための開口に対向する一端から形成可能である。これはストラドリングダウエル（ｓｔｒａｄｄｌｉｎｇ  ｄｏｗｅｌ）のように作用する骨インプラントをもたらすが、この理由は、実質的に円柱形のインプラントを埋入することによって骨インプラントが効果的に押し広げられるからである。
【００２９】
説明した骨インプラントは顎骨の増強に使用される。
【００３０】
本課題はまた、複数の同種骨インプラントまたは異種間骨インプラントのセットよっても解決される。骨インプラントはそれぞれ、インプラントを埋入できる孔を有する。それら骨インプラントは、増強のために顎骨に挿入できるように形成される。骨インプラントのうちの少なくとも第１の骨インプラントの幾何学的形状は、骨インプラントのうちの少なくとも第２の骨インプラントの幾何学的形状と異なる。
【００３１】
骨インプラントが中空柱体の形を有する場合、セットは種々の中空柱体を含むことができ、この場合、中空柱体を示すための３つの典型的なパラメータは変化する。これらのパラメータは、中空柱体の長さ、孔の内径および中空柱体の外径である。例えば、さまざまな長さの中空柱体またはさまざまな外径の中空柱体が提供可能である。
【００３２】
このように、治療を行う医者には、一般に必要とされるサイズの骨インプラント、特に骨の環が、任意でより複雑な形状を有するものも含め、手術用にあらかじめ用意された上で提供される。治療を行う医者にとって、仕事量を低減させ、手術の手順を速める。
【００３３】
あらかじめ作られた骨インプラントのこのようなセットによって、治療を行う医者には、特に、上述された、顎骨における向上した結合と共に特殊な形態の骨インプラントを提供することもできる。そして、医者は、必要とされるサイズの骨インプラントだけでなく、手術中に医者自身では作り出すことができないであろう、特に有利な形状の骨インプラントも確保できる。
【００３４】
概して、骨インプラントのうちの少なくとも第１の骨インプラントの幾何学的形状が骨インプラントのうちの少なくとも第２の骨インプラントの幾何学的形状の大きさを表す場合、すなわち、セットにさまざまなサイズの骨インプラントが含まれる場合は注目に値する。この場合の大きさは比例するサイズ変更に言及する。
【００３５】
種々の骨インプラントのセットが顎骨の増強に使用される。
【００３６】
本発明の目的はまた、顎骨を増強するための方法によって達成される。以下では、この方法の個々のステップをより詳細に説明する。当該ステップを、必ずしも本文に示される順序で行う必要はない。また、明確に記述されていないさらなるステップを本方法の一部とすることができる。顎骨を増強するための方法は以下のステップを含む。
【００３７】
上述した同種または異種間骨インプラントを提供する。骨インプラントを顎骨に挿入するのに適したサイズの円筒形の凹所を前記顎骨に穴をあけて作る。その後、顎骨においてあけられた凹所に骨インプラントを挿入する。歯科インプラントが骨インプラントの孔に差し込まれ、それによって骨インプラントを拡張する。そうすることで、骨インプラントは周囲の顎骨により良好に結合する。
【００３８】
従属請求項と併せて好ましい例示的な実施形態の以下の説明から、さらなる詳細および特徴が明らかになる。それぞれの特徴を、それぞれ自体でまたはそれらを組み合わせることによって、ここで実現することができる。課題を解決する可能性は例示的な実施形態に制限されない。
【００３９】
例示的な実施形態は、図に概略的に表されている。それに関して、個々の図における同一の参照符号は、同一もしくは機能的に同一である、または、それらの機能に対して互いに対応する要素を示す。
【図面の簡単な説明】
【００４０】
【図１】骨インプラントの縦断面図である。
【図２】透視画法における第１の骨インプラントを示す図である。
【図３】第１の骨インプラントのＡ−ＡおよびＢ−Ｂにおける断面図である。
【図４】第２の骨インプラントのＡ−ＡおよびＢ−Ｂにおける断面図である。
【図５】第３の骨インプラントを示す図である。
【図６】第３の骨インプラントのＡ−Ａにおける断面図である。
【図７】第３の骨インプラントのＢ−Ｂにおける断面図である。
【図８】第３の骨インプラントの縦断面図である。
【発明を実施するための形態】
【００４１】
図１は中空円筒形状の骨インプラント１０２の縦断面図を示す。骨インプラント１０２は顎骨１０４に差し込まれている。孔１０６は、骨インプラント１０２の中央で、その縦軸に沿って伸長し、インプラントを受ける目的を担う。
【００４２】
図１に表されるタイプのインプラント１０２を、複数の骨インプラント１０２のセットの一部としてよい。顎骨１０４の損傷場所の増強にそれぞれ適した骨インプラント１０２を与えるために、セットに含まれる骨インプラント１０２の高さ１０８および／または外径１１０は変化する。特に、当該セットは、さまざまな外径１１０を有する骨インプラント１０２を含むことができる。これにより、さまざまな程度の損傷場所を増強することができる。損傷場所の深さに適応させるために、セットに含まれる骨インプラント１０２の高さ１０８も変えることができる。
【００４３】
図１に表されている縦断面図を有する第１の中空円筒形状の骨インプラント１０２が図２に示されている。
【００４４】
第１の骨インプラント１０２のＡ−ＡおよびＢ−Ｂ（図１を参照）における断面図が図３に表されている。ここで骨インプラント１０２の固形の壁を見ることができる。これによって、インプラントが埋入される時に第１の骨インプラント１０２を拡張させることができない。このような場合、骨インプラント１０２の外径は変わらない。したがって、骨インプラント１０２と顎骨１０４とが１つになった時にだけ、骨インプラント１０２と顎骨１０４との間の十分な耐荷重連結が生じる。
【００４５】
第２の骨インプラント１０２のＡ−ＡおよびＢ−Ｂ（図１を参照）における断面図が図４に表されている。この場合の縦断面図は、第１の骨インプラント１０２の縦断面図と同様である。したがって、図１の縦断面の描写は第２の骨インプラント１０２にも適用される。
【００４６】
第１の骨インプラント１０２との差異として、第２の骨インプラント１０２は拡張接合部４０２を有する。これは、骨インプラント１０２の全体の高さ１０８にわたって縦軸に沿って伸長する。したがって、拡張接合部４０２の長さは骨インプラント１０２の高さ１０８に対応する。拡張接合部４０２は、例示として選択されたＡ−ＡおよびＢ−Ｂにおける断面図においてだけでなく、第２の骨インプラント１０２の断面図全てにおいて、対応して提示される。
【００４７】
拡張接合部４０２は、縦軸に対して直交して、または、図４の描写の平面図内で、孔１０６から顎骨１０４まで伸長する。
【００４８】
外科医がインプラントを孔１０６に差し込む際に、拡張接合部４０２は骨インプラント１０２を拡張させることができる。こうして拡張されると、骨インプラント１０２の外径１１０が大きくなる。同様に、拡張接合部４０２の幅が大きくなる。これは、拡張接合部４０２を形成する骨インプラント１０２の側面が離れていくことによって生じる。
【００４９】
その拡張によって、骨インプラント１０２が顎骨１０４に対して押し付けられるといった効果がもたらされる。この結果、骨インプラント１０２と顎骨１０４との間の摩擦連結が形成される。これによって、顎骨１０４における骨インプラント１０２の固定化が向上し、その結果、結合時間、すなわち、骨インプラント１０２が確実に荷重に耐えるようになるまでの時間を短縮する。
【００５０】
図５〜図７に表されている第３の骨インプラント５０２は４つの拡張接合部５０４を有する。しかしながら、これらは、例えば、第２の骨インプラント１０２の場合（骨インプラント１０２はその後４片になる）のように、骨インプラント１０２の全体の高さ１０８にわたって伸長しない。むしろ、拡張接合部５０４の長さは骨インプラント５０２の高さより短い。
【００５１】
図６および図７はこれを図示している。Ａ−Ａにおける断面において、その縦断面が図８に示されているが、この場合の骨インプラント５０２は堅固である。それ故に、Ａ−Ａにおける断面の高さには拡張接合部は存在しない。
【００５２】
一方で、図７において見ることができるように、２つの拡張接合部５０４はＢ−Ｂにおける断面を通って伸長する（図８を参照）。拡張接合部５０４はＡ−Ａにおける断面とＢ−Ｂにおける断面との間に位置する領域内で終止する（図８を参照）。その結果、拡張接合部５０４はまた、この領域より下の骨インプラント５０２の全ての断面を通って伸長する。それに応じて、この領域より上の骨インプラント５０２の断面において拡張接合部は存在しない。
【００５３】
短くした拡張接合部５０４によって、骨インプラント５０２の上部は拡張不可能である。その結果、インプラントの直径は、骨インプラント１０２の上部において孔１０６の直径によって制限される。それにもかかわらず、骨インプラント１０２を下部において拡張させることができるように、孔１０６は、図８に表されるように、先細り領域８０２を有する。この領域８０２では、孔１０６の直径は（図８の描写に関連して）上から下へと低減する。そして、ねじ込まれたインプラントによって、骨インプラント５０２の下領域はストラドリングダウエル（開脚型ダウエル）のように拡張する。
【符号の説明】
【００５４】
１０２  骨インプラント
１０４  顎骨
１０６  孔
１０８  高さ
１１０  外径
５０２  骨インプラント
５０４  拡張接合部
８０２  先細り領域
【図１】
0006031512.tif 000002
【図２】
0006031512.tif 000003
【図３】
0006031512.tif 000004
【図４】
0006031512.tif 000005
【図５】
0006031512.tif 000006
【図６】
0006031512.tif 000007
【図７】
0006031512.tif 000008
【図８】
0006031512.tif 000009